(57)【特許請求の範囲】
【請求項１】
移動体に搭載されるデジタル放送受信機において、
デジタル放送信号を受信する第１、第２の受信手段と、
前記第１の受信手段の受信信号、もしくは前記第１、第２の受信手段の受信信号を合成した信号をデコードするデコード手段と、
前記第２の受信手段の受信信号から番組案内情報を抽出する抽出手段と、
前記第２の受信手段の受信信号を前記デコード手段または前記抽出手段に供給するスイッチ手段と、
前記デコード手段でデコードされたチャネルがコマーシャル中であるとき、前記第２の受信手段の受信信号を前記抽出手段に供給するよう前記スイッチ手段を切替えて前記抽出手段に現在位置で受信可能な全てのチャネルの番組案内情報を抽出させる切替え制御手段を
有することを特徴とするデジタル放送受信機。
【請求項２】
請求項１記載のデジタル放送受信機において、
前記切替え制御手段は、前記移動体の電源オフまたは前記デコード手段の音声信号出力がオフとなったとき、所定時間だけ電源を供給し前記第２の受信手段の受信信号を前記抽出手段に供給するよう前記スイッチ手段を切替えて前記抽出手段に現在位置で受信可能な全てのチャネルの番組案内情報を抽出させることを特徴とするデジタル放送受信機。
【発明の詳細な説明】
【技術分野】
【０００１】
本発明は、デジタル放送受信機に関し、移動体に搭載されデジタルテレビジョン放送等のデジタル放送のＥＰＧ（Ｅｌｅｃｔｏｒｏｎｉｃ  Ｐｒｏｇｒａｍ  Ｇｕｉｄｅ：電子番組表）を取得するデジタル放送受信機に関する。
【背景技術】
【０００２】
地上デジタルテレビジョン放送としては、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）と呼ばれるＯＦＤＭ（Ｏｒｔｈｏｇｏｎａｌ  Ｆｒｅｑｕｅｎｃｙ  Ｄｉｖｉｓｉｏｎ  Ｍｕ１ｔｉｐ１ｅｘｉｎｇ：直交周波数分割多重）伝送方式が規格化されている。このようなデジタル放送では、チャネル毎に番組案内情報であるＥＰＧが番組情報（番組コンテンツデータ）に多重化されて放送される。
【０００３】
上記のＥＰＧを取得する技術としては、例えば特許文献１に記載のデジタル放送受信装置がある。このデジタル放送受信装置は、第１，第２の受信系統を有しダイバーシティ受信を行い、ユーザからＥＰＧ表示の指示があると、第１の受信系統で所定チャネルの番組コンテンツデータを取得し、第２の受信系統で他チャネルのＥＰＧを取得する。
【特許文献１】特開２００５−１１７２２６号公報
【発明の開示】
【発明が解決しようとする課題】
【０００４】
特許文献１の従来技術は、ユーザからのＥＰＧ表示の指示により、ダイバーシティ受信を中止して第２の受信系統で他チャネルのＥＰＧを取得するため、ＥＰＧ取得時に第１の受信系統で受信しているチャネルの番組コンテンツデータのエラーが増大し、受信中のチャネルの品質が劣化するおそれがあるという問題があった。
【０００５】
本発明は、上述の点に鑑みてなされたものであり、受信中のチャネルの品質劣化を防止または目立たなくして受信可能な全てのチャネルのＥＰＧを取得することができるデジタル放送受信機を提供することを目的とする。
【課題を解決するための手段】
【０００８】
本発明のデジタル放送受信機は、移動体に搭載されるデジタル放送受信機において、
デジタル放送信号を受信する第１、第２の受信手段と、
前記第１の受信手段の受信信号、もしくは前記第１、第２の受信手段の受信信号を合成した信号をデコードするデコード手段と、
前記第２の受信手段の受信信号から番組案内情報を抽出する抽出手段と、
前記第２の受信手段の受信信号を前記デコード手段または前記抽出手段に供給するスイッチ手段と、
前記デコード手段でデコードされたチャネルがコマーシャル中であるとき、前記第２の受信手段の受信信号を前記抽出手段に供給するよう前記スイッチ手段を切替えて前記抽出手段に現在位置で受信可能な全てのチャネルの番組案内情報を抽出させる切替え制御手段を有することにより、受信中のチャネルの品質劣化を目立たなくして受信可能な全てのチャネルのＥＰＧを取得することができる。
【００１０】
また、前記デジタル放送受信機において、
前記切替え制御手段は、前記移動体の電源オフまたは前記デコード手段の音声信号出力がオフとなったとき、所定時間だけ電源を供給し前記第２の受信手段の受信信号を前記抽出手段に供給するよう前記スイッチ手段を切替えて前記抽出手段に現在位置で受信可能な全てのチャネルの番組案内情報を抽出させることができる。
【発明の効果】
【００１１】
本発明によれば、受信中のチャネルの品質劣化を防止または目立たなくして受信可能な全てのチャネルのＥＰＧを取得することができる。
【発明を実施するための最良の形態】
【００１２】
以下、図面に基づいて本発明の実施形態について説明する。
【００１３】
＜デジタル放送受信機の構成＞
図１は、本発明のデジタル放送受信機の一実施形態の構成図を示す。同図中、デジタル放送受信機は、車両等の移動体に搭載されて地上デジタルテレビジョン放送を受信するもので、アンテナ１１，１２、フロントエンド部１３，１４、スイッチ１５、切替え制御部１６、信号合成部１７、デコード部１８、ＥＰＧ情報取得部１９、出力部２０を有している。
【００１４】
フロントエンド部１３，１４は同一構成であり、アンテナ１１，１２それぞれで受信した地上デジタルテレビジョン放送の所望チャネルの信号を同調選択し、更に、ＯＦＤＭ復調を行ってベースバンド信号として出力する。フロントエンド部１３，１４それぞれが同調するチャネルは切替え制御部１６からの制御によって切替えられる。
【００１５】
スイッチ１５は、切替え制御部１６からの制御によって、通常はフロントエンド部１４の出力するベースバンド信号を信号合成部１７に供給し、ＥＰＧ取得時にはフロントエンド部１４の出力するベースバンド信号をＥＰＧ情報取得部１９に供給する。
【００１６】
信号合成部１７は、フロントエンド部１３の出力するベースバンド信号に、スイッチ１５を通して供給されるフロントエンド部１４の出力するベースバンド信号の位相調整を行って合成する。
【００１７】
デコード部１８は、信号合成部１７から供給されるベースバンド信号の誤り訂正を行った後、ＴＳ（Ｔｒａｎｓｐｏｒｔ  Ｓｔｒｅａｍ）分離を行い、ビデオデコード及びオーディオデコードを行って映像信号及び音声信号を得、出力部２０から出力する。
【００１８】
ＥＰＧ情報取得部１９は、スイッチ１５から供給されるベースバンド信号の誤り訂正を行った後、ＴＳ（Ｔｒａｎｓｐｏｒｔ  Ｓｔｒｅａｍ）分離を行い、ＥＰＧ情報を抽出して内蔵のメモリ１９ａに格納すると共に、出力部２０から出力する。
【００１９】
＜第１実施形態＞
図２は、切替え制御部１６が実行するＥＰＧ情報取得処理の第１実施形態のフローチャートを示す。
【００２０】
同図中、ステップＳ１１で現在位置において受信可能な全てのチャネルのＥＰＧ情報が得られメモリ１９ａに格納されているか否かを判別する。なお、切替え制御部１６にはナビゲーションシステムから自車両の現在位置情報が供給され、この現在位置からテーブル検索等によって受信可能なチャネルを知ることができる。
【００２１】
受信可能な全てのチャネルのＥＰＧ情報が得られている場合には、ステップＳ１２で一定時間待機してステップＳ１１に進む。この一定時間はＥＰＧ情報が変更される可能性がある時間（例えば数１０分）、または、車両が隣接する放送エリアに移動するに十分な時間（例えば数１０分）である。
【００２２】
受信可能な全てのチャネルのＥＰＧ情報が得られていない場合には、ステップＳ１３で現在の受信状況が良好であるか否かを判別する。ここで、切替え制御部１６はフロントエンド部１３における受信電界強度が所定の閾値を超えた場合に受信状況が良好とするか、または、デコード部１８におけるＢＥＲ（Ｂｉｔ  Ｅｒｒｏｒ  Ｒａｔｅ）もしくはＲＳ（Ｒｅｅｄ  Ｓｏｌｏｍｏｎ）符号誤り率が所定の閾値未満の場合に受信状況が良好とする。
【００２３】
現在の受信状況が良好である場合にのみステップＳ１４に進む。ステップＳ１４ではフロントエンド部１４の出力するベースバンド信号をＥＰＧ情報取得部１９に供給するようスイッチ１５の切替えを行う。そして、フロントエンド部１４の受信チャネルを順次切替え、現在位置において受信可能な全てのチャネルのＥＰＧ情報を得てメモリ１９ａに格納する。
【００２４】
この後、ステップＳ１５で一定時間待機してステップＳ１１に戻る。この一定時間はＥＰＧ情報が変更される可能性がある時間（例えば数１０分）、または、車両が隣接する放送エリアに移動するに十分な時間（例えば数１０分）である。
【００２５】
このように、受信中のチャネルの受信状況が良好である場合にのみ受信可能な全てのチャネルのＥＰＧを取得するため、受信中のチャネルの品質劣化を防止して受信可能な全てのチャネルのＥＰＧを取得することができる。
【００２６】
＜第２実施形態＞
図３は、切替え制御部１６が実行するＥＰＧ情報取得処理の第２実施形態のフローチャートを示す。
【００２７】
同図中、ステップＳ２１で現在位置において受信可能な全てのチャネルのＥＰＧ情報が得られメモリ１９ａに格納されているか否かを判別する。なお、切替え制御部１６にはナビゲーションシステムから自車両の現在位置情報が供給され、この現在位置からテーブル検索等によって受信可能なチャネルを知ることができる。
【００２８】
受信可能な全てのチャネルのＥＰＧ情報が得られている場合には、ステップＳ２２で一定時間待機してステップＳ２１に進む。この一定時間はＥＰＧ情報が変更される可能性がある時間（例えば数１０分）、または、車両が隣接する放送エリアに移動するに十分な時間（例えば数１０分）である。
【００２９】
受信可能な全てのチャネルのＥＰＧ情報が得られていない場合には、ステップＳ２３で現在の車速が例えば３０ｋｍ／ｈ以下の低速もしくは停車時に地上デジタルテレビジョン放送を受信しやすい状態であるか否かを判別する。ここで、切替え制御部１６は車両から供給される車速信号を所定速度（３０ｋｍ／ｈ）と比較して上記の判別を行っている。
【００３０】
低速もしくは停車状態で地上デジタルテレビジョン放送を受信しやすい場合にのみステップＳ２４に進む。ステップＳ２４ではフロントエンド部１４の出力するベースバンド信号をＥＰＧ情報取得部１９に供給するようスイッチ１５の切替えを行う。そして、フロントエンド部１４の受信チャネルを順次切替え、現在位置において受信可能な全てのチャネルのＥＰＧ情報を得てメモリ１９ａに格納する。
【００３１】
この後、ステップＳ２５で一定時間待機してステップＳ２１に戻る。この一定時間はＥＰＧ情報が変更される可能性がある時間（例えば数１０分）、または、車両が隣接する放送エリアに移動するに十分な時間（例えば数１０分）である。
【００３２】
このように、低速もしくは停車状態で地上デジタルテレビジョン放送を受信しやすい場合にのみ受信可能な全てのチャネルのＥＰＧを取得するため、受信中のチャネルの品質劣化を防止して受信可能な全てのチャネルのＥＰＧを取得することができる。
【００３３】
＜第３実施形態＞
図４は、切替え制御部１６が実行するＥＰＧ情報取得処理の第３実施形態のフローチャートを示す。
【００３４】
同図中、ステップＳ３１で現在位置において受信可能な全てのチャネルのＥＰＧ情報が得られメモリ１９ａに格納されているか否かを判別する。なお、切替え制御部１６にはナビゲーションシステムから自車両の現在位置情報が供給され、この現在位置からテーブル検索等によって受信可能なチャネルを知ることができる。
【００３５】
受信可能な全てのチャネルのＥＰＧ情報が得られている場合には、ステップＳ３２で一定時間待機してステップＳ３１に進む。この一定時間はＥＰＧ情報が変更される可能性がある時間（例えば数１０分）、または、車両が隣接する放送エリアに移動するに十分な時間（例えば数１０分）である。
【００３６】
受信可能な全てのチャネルのＥＰＧ情報が得られていない場合には、ステップＳ３３で現在（フロントエンド部１３，１４で）受信中のチャネルがコマーシャル（ＣＭ）中であるか否かを判別する。ここで、切替え制御部１６はデコード部１８で得られる音声多重情報またはステレオ情報、もしくはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ：伝送制御信号）から判別する。例えばモノラル音声もしくはバイリンガル音声からステレオ音声に切り替わった場合にコマーシャル中と判別する。
【００３７】
受信中のチャネルがコマーシャル中であれば、受信状況が多少悪化しても問題ないためステップＳ３４に進む。ステップＳ３４ではフロントエンド部１４の出力するベースバンド信号をＥＰＧ情報取得部１９に供給するようスイッチ１５の切替えを行う。そして、フロントエンド部１４の受信チャネルを順次切替え、現在位置において受信可能な全てのチャネルのＥＰＧ情報を得てメモリ１９ａに格納する。
【００３８】
この後、ステップＳ３５で一定時間待機してステップＳ３１に戻る。この一定時間はＥＰＧ情報が変更される可能性がある時間（例えば数１０分）、または、車両が隣接する放送エリアに移動するに十分な時間（例えば数１０分）である。
【００３９】
このように、コマーシャル中にのみ受信可能な全てのチャネルのＥＰＧを取得するため、受信中のチャネルの品質劣化を目立たなくして受信可能な全てのチャネルのＥＰＧを取得することができる。
【００４０】
＜デジタル放送受信機の他の構成＞
図５は、本発明のデジタル放送受信機の他の実施形態の構成図を示す。同図中、デジタル放送受信機は、車両に搭載されて地上デジタルテレビジョン放送を受信するもので、アンテナ２１、フロントエンド部２３、デコード部２５、切替え制御部２６、出力部２７を有している。
【００４１】
フロントエンド部２３は、アンテナ２１で受信した地上デジタルテレビジョン放送の所望チャネルの信号を同調選択し、更に、ＯＦＤＭ復調を行ってベースバンド信号として出力する。フロントエンド部２３が同調するチャネルは切替え制御部２６からの制御によって切替えられる。
【００４２】
デコード部２５は、フロントエンド部２３から供給されるベースバンド信号の誤り訂正を行った後、ＴＳ分離を行い、ビデオデコード及びオーディオデコードを行って映像信号及び音声信号を得、出力部２７から出力する。これと共に、受信チャネルのＥＰＧ情報を抽出して内蔵のメモリ２５ａに格納する。
【００４３】
＜第４実施形態＞
図６は、切替え制御部２６が実行するＥＰＧ情報取得処理の第４実施形態のフローチャートを示す。
【００４４】
同図中、ステップＳ４１で、車両のアクセサリスイッチ（ＡＣＣ）がオンからオフに切替えられたか、または、車両スピーカからのオーディオ出力が地上デジタルテレビジョン放送からラジオやＣＤ等の他メディアに切替えられてデコード部２５の音声信号出力がオフとなったかを判別する。
【００４５】
アクセサリスイッチがオンからオフ、または、地上デジタルテレビジョン放送から他メディアに切替えられた場合にのみステップＳ４２に進む。ステップＳ４２では、上記切替えから一定時間だけデジタル放送受信機に電源を供給し、フロントエンド部２３の受信チャネルを順次切替え、現在位置において受信可能な全てのチャネルのＥＰＧ情報を得てメモリ２５ａに格納し、デジタル放送受信機の電源を遮断して動作を停止する。
【００４６】
このようにして、受信中のチャネルの品質劣化を防止して受信可能な全てのチャネルのＥＰＧを取得することができ、これにより、次回、地上デジタルテレビジョン放送を受信する際にはメモリ２５ａに格納されているＥＰＧ情報を利用することができる。なお、この第４実施形態は、前述の第１〜第３実施形態とあわせて実施しても良い。
【００４７】
なお、フロントエンド部１３が請求項記載の第１の受信手段に相当し、フロントエンド部１４が第２の受信手段に相当し、デコード部１８，２５がデコード手段に相当し、ＥＰＧ情報取得部１９が抽出手段に相当し、スイッチ１５がスイッチ手段に相当し、切替え制御部１６，２６が切替え制御手段に相当し、フロントエンド部２３が受信手段に相当する。
【図面の簡単な説明】
【００４８】
【図１】本発明のデジタル放送受信機の一実施形態の構成図である。
【図２】ＥＰＧ情報取得処理の第１実施形態のフローチャートである。
【図３】ＥＰＧ情報取得処理の第２実施形態のフローチャートである。
【図４】ＥＰＧ情報取得処理の第３実施形態のフローチャートである。
【図５】本発明のデジタル放送受信機の他の実施形態の構成図である。
【図６】ＥＰＧ情報取得処理の第４実施形態のフローチャートである。
【符号の説明】
【００４９】
１１，１２，２１  アンテナ
１３，１４，２３  フロントエンド部
１５  スイッチ
１６，２６  切替え制御部
１７  信号合成部
１８，２５  デコード部
１９  ＥＰＧ情報取得部
２０，２７  出力部
【図１】
0004775098.tif 000002
【図２】
0004775098.tif 000003
【図３】
0004775098.tif 000004
【図４】
0004775098.tif 000005
【図５】
0004775098.tif 000006
【図６】
0004775098.tif 000007